(57)【要約】【課題】不要なコストの発生や人為的過誤の誘発を防止しつつ、プラント等に設けられた非接続機器の情報を収集することが可能な情報収集システム等を提供する。【解決手段】情報収集システムは、情報収集が可能なシステムに接続されていない機器又は設備である非接続機器の情報を収集する情報収集システムであって、表示部に表示された情報入力画面に対して非接続機器の状態を示す情報または数値データのうち少なくともいずれか一つを入力し、第２の通信部を介して入力された前記情報入力画面への入力情報をネットワークに送信する入力部とを備える情報収集端末装置と、ネットワークを介して情報収集端末装置から入力情報を収集する第１の通信部を備える情報収集サーバ装置とを備える。【選択図】  図１
2018081713.tif 000002
【特許請求の範囲】
【請求項１】
情報収集が可能なシステムに接続されていない機器又は設備である非接続機器の情報を収集する情報収集システムであって、
前記非接続機器を特定する特定情報、作業者の業務グループまたは作業時間帯を特定するシフト名を含み、それぞれが関連付けられた画面生成データであって、情報入力画面を生成するための前記画面生成データが記憶される記憶部と、
前記特定情報および前記シフト名が関連付けられた前記画面生成データに基づいて、前記非接続機器の種類および前記シフト名に応じた情報入力画面を生成する画面生成部と、
前記特定情報を受信し、前記画面生成部により生成された情報入力画面を送信する第１の通信部と、
を備える情報収集サーバ装置と、
前記特定情報を取得する取得部と、
該取得部で取得された前記特定情報を前記情報収集サーバ装置に送信する第２の通信部と、
前記特定情報および前記シフト名に基づき前記画面生成部により生成される前記非接続機器の種類および前記シフト名に応じた前記情報入力画面を前記情報収集サーバ装置から前記第１および第２の通信部を介し受信して表示する表示部と、
該表示部に表示された前記情報入力画面に対して前記非接続機器の状態を示す情報または数値データのうち少なくともいずれか一つを入力し、前記第２の通信部を介して入力された前記情報入力画面への入力情報をネットワークに送信する入力部と、
を備える情報収集端末装置と、を備え、
情報収集サーバ装置は、
前記ネットワークを介して前記情報収集端末装置から受信した前記入力情報を収集し、前記情報収集が可能なシステムに接続されている機器又は設備である接続機器の状態を示す情報または数値データを収集する前記第１の通信部と、
前記第１の通信部で収集された前記非接続機器の状態を示す情報または数値データを含む情報と前記接続機器の状態を示す情報または数値データを含む情報とを、前記非接続機器を特定する特定情報と前記接続機器を特定する特定情報と、にそれぞれ関連付けて記録することにより各機器の状態情報を統合して管理するデータベースと、
を有する
ことを特徴とする情報収集システム。
【請求項２】
前記画面生成部は、前記取得部で取得された前記特定情報と、前記情報収集端末装置を
操作するユーザを特定するユーザ特定情報及び前記ユーザの業務内容を示す業務情報の少
なくとも一方とに応じた前記情報入力画面を前記表示部に表示させることを特徴とする請
求項１記載の情報収集システム。
【請求項３】
前記取得部は、画像を取得する画像取得部と、
前記画像取得部によって取得された画像中の識別子に含まれる前記特定情報を読み取る読取部と
を備えることを特徴とする請求項１又は請求項２記載の情報収集システム。
【請求項４】
前記取得部は、外部との間で近距離通信を行って前記特定情報を取得する近距離通信部を備えることを特徴とする請求項１から請求項３の何れか一項に記載の情報収集システム。
【請求項５】
前記取得部は、自端末装置の位置を示す位置情報を取得する位置情報取得部を備えてお
り、前記位置情報取得部で取得された位置情報と前記非接続機器の位置情報とに基づいて
前記特定情報を取得することを特徴とする請求項１から請求項４の何れか一項に記載の情
報収集システム。
【請求項６】
前記情報収集サーバ装置にアクセス可能であり、生産管理に必要な解析を行うために用
いられる生産管理端末装置を備えることを特徴とする請求項１から請求項５の何れか一項
に記載の情報収集システム。
【請求項７】
情報収集が可能なシステムに接続されていない機器又は設備である非接続機器の情報を収集する情報収集サーバ装置であって、
前記非接続機器を特定する特定情報、作業者の業務グループまたは作業時間帯を特定するシフト名を含み、それぞれが関連付けられた画面生成データであって、情報入力画面を生成するための前記画面生成データが記憶される記憶部と、
前記特定情報および前記シフト名が関連付けられた前記画面生成データに基づいて、前記非接続機器の種類および前記シフト名に応じた情報入力画面を生成する画面生成部と、
前記特定情報を受信し、前記画面生成部により生成された情報入力画面を送信する第１の通信部と、
を備え、
前記ネットワークを介して前記情報収集端末装置から受信した前記入力情報を収集し、前記情報収集が可能なシステムに接続されている機器又は設備である接続機器の状態を示す情報または数値データを収集する前記第１の通信部と、
前記第１の通信部で収集された前記非接続機器の状態を示す情報または数値データを含む情報と前記接続機器の状態を示す情報または数値データを含む情報とを、前記非接続機器を特定する特定情報と前記接続機器を特定する特定情報と、にそれぞれ関連付けて記録することにより各機器の状態情報を統合して管理するデータベースと、
を有することを特徴とする情報収集サーバ装置。
【請求項８】
情報収集が可能なシステムに接続されていない機器又は設備である非接続機器の情報を収集する情報収集方法であって、
前記非接続機器を特定する特定情報、作業者の業務グループまたは作業時間帯を特定するシフト名を含み、それぞれが関連付けられた画面生成データであって、情報入力画面を生成するための前記画面生成データを記憶する第１ステップと、
前記特定情報および前記シフト名が関連付けられた前記画面生成データに基づいて、前記非接続機器の種類および前記シフト名に応じた情報入力画面を生成する第２ステップと、
前記特定情報を受信し、前記画面生成部により生成された情報入力画面を送信する第３ステップと、
前記特定情報を取得する第４ステップと、
該取得部で取得された前記特定情報を前記情報収集サーバ装置に送信する第５ステップと、
前記特定情報および前記シフト名に基づき前記画面生成部により生成される前記非接続機器の種類および前記シフト名に応じた前記情報入力画面を前記情報収集サーバ装置から受信して表示する第６ステップと、
該表示部に表示された前記情報入力画面に対して前記非接続機器の状態を示す情報または数値データのうち少なくともいずれか一つを入力し、前記第２の通信部を介して入力された前記情報入力画面への入力情報をネットワークに送信する第７ステップと、
前記ネットワークを介して前記情報収集端末装置から受信した前記入力情報を収集する第８ステップと、
前記情報収集が可能なシステムに接続されている機器又は設備である接続機器の状態を示す情報または数値データを収集する第９ステップと、
前記第８ステップで収集された前記非接続機器の状態を示す情報または数値データを含む情報と前記第９ステップで収集された前記接続機器の状態を示す情報または数値データを含む情報とを前記非接続機器を特定する特定情報と前記接続機器を特定する特定情報とにそれぞれ関連付けて記録することにより各機器の状態情報を統合して管理するデータベース第１０ステップと、
を有することを特徴とする情報収集方法。
【発明の詳細な説明】
【技術分野】
【０００１】
本発明は、情報収集システム、情報収集端末装置、情報収集サーバ装置、及び情報収集方法に関する。
【背景技術】
【０００２】
従来から、プラントや工場等（以下、これらを総称する場合には「プラント」という）においては、フィールド機器と呼ばれる現場機器（測定器、操作器）と、これらを制御する制御装置とが通信手段を介して接続された分散制御システム（ＤＣＳ：Distributed Control System）が構築されており、高度な自動操業が実現されている。このような、分散制御システムが構築されているプラントでは、プラントで収集される膨大なデータ（例えば、プロセスデータ）の管理を容易にするために、収集したデータを長期間に亘って蓄積した上で、必要な時に必要な形式で提供するプラント情報管理システム（ＰＩＭＳ：Plant Information Management System）が導入されることが多い。
【０００３】
また、プラントでは、プラントに設けられた設備の保守・保全を支援するために、設備のメンテナンスに関する情報を一元管理する設備保全管理システム（ＣＭＭＳ：Computerized Maintenance Management System）、或いは設備資産管理（ＥＡＭ：Enterprise Asset Management）と呼ばれるシステムが導入されることもある。また、プラントには、プラントに関する様々な資源を統合的に管理し、業務の効率化や最適化を図るために基幹業務システム（ＥＲＰ：Enterprise Resource Planning）と呼ばれる統合機器管理システムが導入されることもある。
【０００４】
このような各種の生産システムが構築されたプラントにおいては、異常な動作の予防、性能維持等の観点から、各種機器（フィールド機器を含む）や各種設備のメンテナンス作業が定期又は不定期に行われる。例えば、フィールド機器のメンテナンスは、フィールド機器との間で有線通信又は無線通信が可能な端末装置を用いて行われる。具体的に、フィールド機器のメンテナンス時には、例えば作業者が端末装置を操作してメンテナンス対象のフィールド機器に設定されている機器情報（パラメータ）の内容を読み出して確認する作業や、作業者が端末装置を操作して新たな機器情報をフィールド機器に設定する作業が行われる。以下の特許文献１には、このような端末装置の一例が開示されている。
【先行技術文献】
【特許文献】
【０００５】
【特許文献１】米国特許出願公開第２０１２／００４６９１１号明細書
【発明の概要】
【発明が解決しようとする課題】
【０００６】
ところで、上述した定期又は不定期に行われるメンテナンス時には、プラントに設置された多種多様の機器及び設備の点検が必要になる。例えば、プラントに設置された手動の弁や配管（パイプ）については、弁の開閉を操作するレバーやハンドルの位置確認、配管の内部や外観の目視確認、音診（音診断）等の点検を行う必要がある。また、プラントには各種の計器が設けられているが、メンテナンス時には、これら計器の指示値の確認（点検）を行う必要もある。このため、現状では以下に示す問題点がある。
【０００７】
（１）プラントの現場での情報収集が困難な場合がある
端末装置と通信が可能な通信機能を有するフィールド機器であれば、上述の端末装置を用いることにより、端末装置でフィールド機器の情報を問題なく取得することができる。しかしながら、このような通信機能を有しないフィールド機器の情報は、端末装置で取得することができない。また、仮に上述の通信機能を有していても、有線通信を行うフィールド機器の場合には、接続線を用いて端末装置をフィールド機器に接続する必要があることから、現場に設置された大量のフィールド機器の情報を取得するには、手間がかかってしまう。
【０００８】
また、例えば作業者が点検した内容のメモを作成する機能を端末装置に設ければ、上述した通信機能を有していないフィールド機器、上述した弁や配管（パイプ）、及び各種の計器（以下、このような生産システムに接続されていない機器又は設備を「非接続機器」という）についての情報を収集することが可能であるとも考えられる。しかしながら、このような方法で収集した情報は、上述した通信機能を用いて収集した情報とは形式が全く異なっていて統合できないため、有効活用することができない。
【０００９】
（２）不要なコストが発生する
上記（１）の事情により、多くのプラントでは、作業者が、メンテナンス作業時に、目視確認、音診（音診断）等の点検の結果を点検シートや作業記録等の紙媒体に記録しているのが現状である。また、作業者が紙媒体に記録した内容は、責任者（直長）や作業者が手作業でコンピュータに入力しているのが現状である。また、紙媒体の記録内容が不明瞭な場合、或いは紙媒体の記録内容に誤りが発見された場合には、その確認作業が必要になることもある。このように、現状では、多くの手間を要する非効率な作業が行われているため、不要なコストが発生している。
【００１０】
（３）人為的過誤が誘発されやすい
上述した通信機能を有するフィールド機器からの情報収集は自動化されているのに対して、上述した非接続機器からの情報収集は多くの手作業を必要とする。このように、多くの手作業が必要になると、人為的過誤（ヒューマンエラー）が誘発されやすく、その結果として業務効率や生産効率の悪化等を招いて大きな損失が生ずることも考えられる。
【００１１】
本発明は上記事情に鑑みてなされたものであり、不要なコストの発生や人為的過誤の誘発を防止しつつ、プラント等に設けられた非接続機器の情報を収集することが可能な情報収集システム、情報収集端末装置、情報収集サーバ装置、及び情報収集方法を提供することを目的とする。
【課題を解決するための手段】
【００１２】
上記課題を解決するために、本発明の情報収集システムは、情報収集が可能なシステムに接続されていない機器又は設備である非接続機器の情報を収集する情報収集システムであって、前記非接続機器を特定する特定情報、作業者の業務グループまたは作業時間帯を特定するシフト名を含み、それぞれが関連付けられた画面生成データであって、情報入力画面を生成するための前記画面生成データが記憶される記憶部と、前記特定情報および前記シフト名が関連付けられた前記画面生成データに基づいて、前記非接続機器の種類および前記シフト名に応じた情報入力画面を生成する画面生成部と、前記特定情報を受信し、前記画面生成部により生成された情報入力画面を送信する第１の通信部と、を備える情報収集サーバ装置と、前記特定情報を取得する取得部と、該取得部で取得された前記特定情報を前記情報収集サーバ装置に送信する第２の通信部と、前記特定情報および前記シフト名に基づき前記画面生成部により生成される前記非接続機器の種類および前記シフト名に応じた前記情報入力画面を前記情報収集サーバ装置から前記第１および第２の通信部を介し受信して表示する表示部と、該表示部に表示された前記情報入力画面に対して前記非接続機器の状態を示す情報または数値データのうち少なくともいずれか一つを入力し、前記第２の通信部を介して入力された前記情報入力画面への入力情報をネットワークに送信する入力部と、を備える情報収集端末装置と、を備え、情報収集サーバ装置は、前記ネットワークを介して前記情報収集端末装置から受信した前記入力情報を収集し、前記情報収集が可能なシステムに接続されている機器又は設備である接続機器の状態を示す情報または数値データを収集する前記第１の通信部と、前記第１の通信部で収集された前記非接続機器の状態を示す情報または数値データを含む情報と前記接続機器の状態を示す情報または数値データを含む情報とを、前記非接続機器を特定する特定情報と前記接続機器を特定する特定情報と、にそれぞれ関連付けて記録することにより各機器の状態情報を統合して管理するデータベースと、を有することを特徴としている。
また、本発明の情報収集システムは、前記画面生成部は、前記取得部で取得された前記特定情報と、前記情報収集端末装置を操作するユーザを特定するユーザ特定情報及び前記ユーザの業務内容を示す業務情報の少なくとも一方とに応じた前記情報入力画面を前記表示部に表示させることを特徴としている。
或いは、本発明の情報収集システムは、前記取得部は、画像を取得する画像取得部と、
前記画像取得部によって取得された画像中の識別子に含まれる前記特定情報を読み取る読取部とを備えることを特徴としている。
また、本発明の情報収集システムは、前記取得部は、外部との間で近距離通信を行って前記特定情報を取得する近距離通信部を備えることを特徴としている。
また、本発明の情報収集システムは、前記取得部は、自端末装置の位置を示す位置情報を取得する位置情報取得部を備えており、前記位置情報取得部で取得された位置情報と前記非接続機器の位置情報とに基づいて前記特定情報を取得することを特徴としている。
また、本発明の情報収集システムは、前記情報収集サーバ装置にアクセス可能であり、生産管理に必要な解析を行うために用いられる生産管理端末装置を備えることを特徴としている。
本発明の情報収集サーバ装置は、情報収集が可能なシステムに接続されていない機器又は設備である非接続機器の情報を収集する情報収集サーバ装置であって、前記非接続機器を特定する特定情報、作業者の業務グループまたは作業時間帯を特定するシフト名を含み、それぞれが関連付けられた画面生成データであって、情報入力画面を生成するための前記画面生成データが記憶される記憶部と、前記特定情報および前記シフト名が関連付けられた前記画面生成データに基づいて、前記非接続機器の種類および前記シフト名に応じた情報入力画面を生成する画面生成部と、前記特定情報を受信し、前記画面生成部により生成された情報入力画面を送信する第１の通信部と、を備え、前記ネットワークを介して前記情報収集端末装置から受信した前記入力情報を収集し、前記情報収集が可能なシステムに接続されている機器又は設備である接続機器の状態を示す情報または数値データを収集する前記第１の通信部と、前記第１の通信部で収集された前記非接続機器の状態を示す情報または数値データを含む情報と前記接続機器の状態を示す情報または数値データを含む情報とを、前記非接続機器を特定する特定情報と前記接続機器を特定する特定情報と、にそれぞれ関連付けて記録することにより各機器の状態情報を統合して管理するデータベースと、を有することを特徴としている。
本発明の情報収集方法は、情報収集が可能なシステムに接続されていない機器又は設備である非接続機器の情報を収集する情報収集方法であって、前記非接続機器を特定する特定情報、作業者の業務グループまたは作業時間帯を特定するシフト名を含み、それぞれが関連付けられた画面生成データであって、情報入力画面を生成するための前記画面生成データを記憶する第１ステップと、前記特定情報および前記シフト名が関連付けられた前記画面生成データに基づいて、前記非接続機器の種類および前記シフト名に応じた情報入力画面を生成する第２ステップと、前記特定情報を受信し、前記画面生成部により生成された情報入力画面を送信する第３ステップと、前記特定情報を取得する第４ステップと、該取得部で取得された前記特定情報を前記情報収集サーバ装置に送信する第５ステップと、前記特定情報および前記シフト名に基づき前記画面生成部により生成される前記非接続機器の種類および前記シフト名に応じた前記情報入力画面を前記情報収集サーバ装置から受信して表示する第６ステップと、該表示部に表示された前記情報入力画面に対して前記非接続機器の状態を示す情報または数値データのうち少なくともいずれか一つを入力し、前記第２の通信部を介して入力された前記情報入力画面への入力情報をネットワークに送信する第７ステップと、前記ネットワークを介して前記情報収集端末装置から受信した前記入力情報を収集する第８ステップと、前記情報収集が可能なシステムに接続されている機器又は設備である接続機器の状態を示す情報または数値データを収集する第９ステップと、前記第８ステップで収集された前記非接続機器の状態を示す情報または数値データを含む情報と前記第９ステップで収集された前記接続機器の状態を示す情報または数値データを含む情報とを前記非接続機器を特定する特定情報と前記接続機器を特定する特定情報とにそれぞれ関連付けて記録することにより各機器の状態情報を統合して管理するデータベース第１０ステップと、を有することを特徴としている。
【発明の効果】
【００１３】
不要なコストの発生や人為的過誤の誘発を防止しつつ、プラント等に設けられた非接続機器の情報を収集することが可能であるという効果がある。
【図面の簡単な説明】
【００１４】
【図１】本発明の一実施形態による情報収集システムの全体構成を示すブロック図である。
【図２】本発明の一実施形態による情報収集端末装置としてのモバイル端末の要部構成を示すブロック図である。
【図３】本発明の一実施形態で情報入力画面の生成に用いられるテーブルの一例を示す図である。
【図４】本発明の一実施形態における情報入力画面の画面例を示す図である。
【図５】本発明の一実施形態による情報収集サーバ装置としてのアプリケーションサーバの要部構成を示すブロック図である。
【図６】本発明の一実施形態による情報収集システムで用いられる生産管理クライアントの要部構成を示すブロック図である。
【図７】本発明の一実施形態における生産管理データ取得画面の一例を示す図である。
【図８】本発明の一実施形態による情報収集システムの全体動作の概要を示すフローチャートである。
【図９】本発明の一実施形態による情報収集システムで行われる情報収集動作の詳細を示すフローチャートである。
【発明を実施するための形態】
【００１５】
以下、図面を参照して本発明の一実施形態による情報収集システム、情報収集端末装置、情報収集サーバ装置、及び情報収集方法について詳細に説明する。
【００１６】
〔情報収集システム〕
図１は、本発明の一実施形態による情報収集システムの全体構成を示すブロック図である。図１に示す通り、本実施形態の情報収集システム１は、モバイル端末１１（情報収集端末装置）、無線アクセスポイント１２、アプリケーションサーバ１３（情報収集サーバ装置）、及び生産管理クライアント１４（生産管理端末装置）を備える。このような構成の情報収集システム１は、プラントに構築された生産システム２０に接続された接続機器Ｄ１に関する情報と、生産システム２０に接続されていない非接続機器Ｄ２に関する情報とを収集し、収集した情報を用いて生産管理に必要な解析等が可能なシステムである。
【００１７】
図１に示す通り、モバイル端末１１と無線アクセスポイント１２とは、無線ネットワークＮ１（ネットワーク）を介して接続される。また、無線アクセスポイント１２、アプリケーションサーバ１３、生産管理クライアント１４、及び生産システム２０は、イントラネットＮ２に接続されている。また、生産システム２０と接続機器Ｄ１とは、制御ネットワークＮ３に接続されている。
【００１８】
無線ネットワークＮ１は、無線アクセスポイント１２によってプラントの現場に形成される無線のネットワークである。この無線ネットワークＮ１は、例えばＷｉ−Ｆｉ（登録商標）、ＷｉＭＡＸ（登録商標）、３Ｇ／ＬＴＥ（登録商標）等の無線通信規格に準拠した無線通信が可能な無線ネットワークである。イントラネットＮ２は、例えばプラントの監視室内に敷設されたイーサネット（登録商標）等のネットワークである。制御ネットワークＮ３は、例えばプラントの現場に敷設された制御用のネットワークである。この制御ネットワークＮ３は、例えばＨＡＲＴ（登録商標）、ＦｉｅｌｄＢｕｓ、ＩＳＡ１００．１１ａ等の有線或いは無線の工業用ネットワークである。
【００１９】
ここで、図１示す例では、生産システム２０として、分散制御システム（ＤＣＳ）２１と、プラント情報管理システム（ＰＩＭＳ）２２とが挙げられている。尚、この生産システム２０には、分散制御システム（ＤＣＳ）２１及びプラント情報管理システム（ＰＩＭＳ）２２以外に、設備保全管理システム（ＣＭＭＳ）、設備資産管理（ＥＡＭ）、基幹業務システム（ＥＲＰ）等が含まれていても良い。また、生産システム２０は、単体の装置で構成されても良い。
【００２０】
接続機器Ｄ１は、制御ネットワークＮ３を介して生産システム２０に接続される機器又は設備である。この接続機器Ｄ１は、例えば流量計や温度センサ等のセンサ機器、流量制御弁や開閉弁等のバルブ機器、ファンやモータ等のアクチュエータ機器、その他のプラントの現場に設置され、ＤＣＳ２１の中核をなす制御装置（図示省略）と通信が可能なフィールド機器である。非接続機器Ｄ２は、通信機能を有しておらず、生産システム２０に接続されていない機器又は設備である。この非接続機器Ｄ２としては、例えばプラントに設置された手動の弁や配管（パイプ）、各種の計器（例えば、アナログ計器、分析計等）、スイッチ類が挙げられる。
【００２１】
モバイル端末１１は、プラントに設置された非接続機器Ｄ２に関する情報を収集するために用いられる端末装置であり、プラントの現場作業を行う作業者Ｗ（ユーザ）によって使用される。このモバイル端末１１は、例えばスマートフォンやタブレット型のコンピュータであるが、非接続機器Ｄ２に関する情報を収集する機能を備えている端末装置であれば、任意の形態の端末装置（例えば、メガネ型或いは腕時計型の端末装置）を用いることができる。尚、モバイル端末１１の詳細については後述する。
【００２２】
無線アクセスポイント１２は、上述した無線ネットワークＮ１を形成し、無線ネットワークＮ１を介して送受信されるデータと、イントラネットＮ２を介して送受信されるデータとの中継を行う。このような無線アクセスポイント１２が設けられていることで、モバイル端末１１とアプリケーションサーバ１３との間の通信が可能になる。尚、本実施形態では、説明を簡単にするために、無線ネットワークＮ１をイントラネットＮ２に直接接続する無線アクセスポイント１２を例に挙げて説明するが、無線アクセスポイント１２は、３Ｇ（第３世代移動通信システム）又は４Ｇ（第３世代移動通信システム）等の公衆回線を経由してイントラネットＮ２に接続するための中継機器であっても良い。
【００２３】
アプリケーションサーバ１３は、生産システム２０から接続機器Ｄ１に関する情報を収集するとともに、モバイル端末１１から非接続機器Ｄ２に関する情報を収集する。また、アプリケーションサーバ１３は、モバイル端末１１や生産管理クライアント１４に対して各種のアプリケーションを提供する。尚、アプリケーションサーバ１３が、データやアプリケーションを提供する方法は、後述する機能や動作を実現できれば、任意の方法（例えば、ＨＴＭＬ５等のＷｅｂサービス／アプリケーション）を用いることができる。また、アプリケーションサーバ１３は、後述する機能を備えていれば、任意の装置（パーソナルコンピュータ、ラックマウントサーバ等）を用いることができる。或いは、アプリケーションサーバ１３は、クラウドコンピューティングとして実現されていても良い。尚、アプリケーションサーバ１３の詳細については後述する。
【００２４】
生産管理クライアント１４は、プラントの管理者Ｍによって操作され、例えばアプリケーションサーバ１３によって収集された各種情報を用いて生産管理に必要な解析等を行うために用いられる。この生産管理クライアント１４は、例えばデスクトップ型、ラップトップ型、或いはノート型のコンピュータで実現される。尚、アプリケーションサーバ１３を用いて上述した解析を行う場合には、例えば市販の表計算ソフトウェア、或いは専用のソフトウェアを用いて行っても良い。尚、生産管理クライアント１４の詳細については後述する。
【００２５】
〔情報収集端末装置〕
図２は、本発明の一実施形態による情報収集端末装置としてのモバイル端末の要部構成を示すブロック図である。図２に示す通り、モバイル端末１１は、測位部３１（取得部、位置情報取得部）、姿勢検出部３２（取得部）、カメラ３３（取得部、画像取得部）、ＮＦＣリーダライタ３４（取得部、近距離通信部）、タッチパネル３５（表示部、入力部）、無線通信部３６（通信部）、格納部３７、及び情報処理部３８を備える。
【００２６】
測位部３１は、モバイル端末１１の位置を測定する。具体的に、測位部３１は、全地球測位システム（ＧＰＳ：Global Positioning System）で用いられる衛星からの電波を受信するとともに、受信信号に対する信号処理を行ってモバイル端末１１の位置を測定する。尚、測位部３１は、モバイル端末１１の位置を測定できるのであれば、上記ＧＰＳに制限されることはなく、任意の測位方式を用いることができる。
【００２７】
姿勢検出部３２は、ジャイロセンサや地磁気センサ（電子コンパス）等を備えており、モバイル端末１１の姿勢や方位を検出する。尚、姿勢検出部３２の検出結果を用いると、例えばカメラ３３の撮影方向を特定することができる。カメラ３３は、ＣＣＤ（Charge Coupled Device：電荷結合素子）やＣＭＯＳ（Complementary Metal Oxide Semiconductor：相補型金属酸化膜半導体）等の固体撮像素子を備えており、静止画及び動画の撮影が可能である。
【００２８】
ＮＦＣリーダライタ３４は、外部の機器（例えば、近接配置された不図示のＮＦＣタグ）に対して非接触で給電を行うとともに、外部の機器との間でＮＦＣ（Near Field Communication：近距離通信）を行って、外部の機器からのデータの読み出し、或いは外部の機器に対するデータの書き込みを行う。ここで、ＮＦＣとは、例えば通信する装置間の距離が、数十ｃｍ以下である場合に可能となる通信（非接触通信）を意味し、通信する装置の筐体が接触した状態で行われる通信も含まれる。
【００２９】
タッチパネル３５は、液晶表示装置や有機ＥＬ（Electro Luminescence）表示装置等の表示装置とタッチパッド等の位置入力装置とを組み合わせた操作表示装置である。無線通信部３６は、前述したＷｉ−Ｆｉ（登録商標）、ＷｉＭＡＸ（登録商標）、３Ｇ／ＬＴＥ（登録商標）等の無線通信規格に準拠した無線通信が可能であり、無線ネットワークＮ１を介した通信を行う。格納部３７は、情報処理部３８で用いられる各種情報、及び無線通信部３６で受信される各種情報等を格納する。この格納部３７は、例えば半導体メモリ等の記憶装置或いはハードディスク等の記録装置で実現される。
【００３０】
情報処理部３８は、識別部３８ａ、入出力処理部３８ｂ、及び画面生成部３８ｃを備えており、プラントに設置された非接続機器Ｄ２に関する情報を収集するために必要な処理を行う。具体的に、情報処理部３８は、プラントに設置された非接続機器Ｄ２を特定し、特定した非接続機器Ｄ２に関する情報を収集するために必要となる情報入力画面をタッチパネル３５に表示させ、この情報入力画面に対して入力される入力情報を無線通信部３６に出力する処理を行う。
【００３１】
識別部３８ａは、機器識別部ＤＳ１（取得部、読取部）、業務識別部ＤＳ２、及びユーザ識別部ＤＳ３を備えており、タッチパネル３５に表示させる情報入力画面を選択するために必要となる各種の識別処理を行う。機器識別部ＤＳ１は、測位部３１の測定結果、姿勢検出部３２の検出結果、カメラ３３から得られる画像、及びＮＦＣリーダライタ３４で読み取られたデータの少なくとも１つを用いて、情報の収集対象となる非接続機器Ｄ２を識別する処理を行う。かかる処理によって、非接続機器Ｄ２を特定するための機器タグＩＤ（特定情報）が得られる。機器識別部ＤＳ１は、例えば以下に示す第１〜第３識別処理を行う。
【００３２】
〈第１識別処理〉
測位部３１の測定結果（モバイル端末１１の位置情報）、姿勢検出部３２の検出結果（モバイル端末１１の姿勢或いは方位）、カメラ３３の視野角、及び非接続機器Ｄ２の位置情報を用いて、タッチパネル３５に表示されている非接続機器Ｄ２を識別（特定）する処理。或いは、測位部３１の測定結果（モバイル端末１１の位置情報）を用いて、モバイル端末１１に最も近い位置に設置されている非接続機器Ｄ２を識別（特定）する処理を行う。尚、非接続機器Ｄ２の位置情報は、モバイル端末１１の格納部３７に予め格納されており、或いはアプリケーションサーバ１３から得られる。
【００３３】
〈第２識別処理〉
カメラ３３から得られる画像に対して画像処理を行い、予め設定された参照画像と比較して、非接続機器Ｄ２を識別（特定）する処理を行う。この処理は、例えば、カメラ３３で撮影された画像に含まれる二次元コード（例えば、非接続機器Ｄ２或いはその近傍に付されたＱＲコード（登録商標）：識別子）に含まれる機器タグＩＤ等を読み取って非接続機器Ｄ２を特定する処理である。尚、予め撮影された非接続機器Ｄ２の画像（或いは、周囲の風景を含む非接続機器Ｄ２の画像）を参照画像として用いて、非接続機器Ｄ２を識別（特定）しても良い。
【００３４】
〈第３識別処理〉
非接続機器Ｄ２或いはその近傍に設置されたＮＦＣタグにモバイル端末１１を近接させた場合に、ＮＦＣリーダライタ３４で読み取られるデータから非接続機器Ｄ２を特定する処理。尚、上記のＮＦＣタグには、非接続機器Ｄ２に設定される機器タグＩＤ等が書き込まれている。
【００３５】
業務識別部ＤＳ２は、作業者Ｗがモバイル端末１１を用いて行っている業務内容を識別する処理を行う。具体的に、業務識別部ＤＳ２は、作業者Ｗがタッチパネル３５を操作して入力する情報に基づいて作業者Ｗの業務内容を識別する。或いは、業務識別部ＤＳ２は、アプリケーションサーバ１３から、作業者Ｗの業務内容を自動的に取得する。ここで、作業者Ｗの業務内容は、例えば作業者Ｗのシフト（業務グループや昼夜の時間帯）に関する情報である。
【００３６】
ユーザ識別部ＤＳ３は、モバイル端末１１を使用している作業者Ｗの認証情報や役割に基づく権限情報等を識別する処理を行う。具体的に、ユーザ識別部ＤＳ３は、作業者Ｗがタッチパネル３５を操作して入力するユーザ情報（ログイン情報等）に基づいて、作業者Ｗの認証情報や権限情報等を識別する。尚、識別部３８ａの識別結果（機器識別部ＤＳ１、業務識別部ＤＳ２、及びユーザ識別部ＤＳ３の識別結果）は、無線通信部３６から、アプリケーションサーバ１３に送信される。
【００３７】
入出力処理部３８ｂは、タッチパネル３５から入力される情報の処理（入力処理）を行うとともに、タッチパネル３５に対して画面を表示させる処理（出力処理）を行う。画面生成部３８ｃは、アプリケーションサーバ１３から送信されてくる画面生成データを用いて、非接続機器Ｄ２に関する情報を収集するために必要となる情報入力画面を生成し、入出力処理部３８ｂを介してタッチパネル３５に表示させる。
【００３８】
アプリケーションサーバ１３から送信されてくる上記の画面生成データは、例えば機器タグＩＤ（機器識別部ＤＳ１で得られた機器タグＩＤ）、最新の数件程度の測定データ、メモ、画像データ、画面ＩＤ等である。この画面生成データは、画面生成部３８ｃが、Ｗｅｂアプリケーション（ＨＴＭＬ５）を用いている場合は、ＨＴＭＬやＸＭＬ等の構造化されたデータとして、アプリケーションサーバ１３から送信されてくる。
【００３９】
ここで、画面生成部３８ｃは、図３に示すテーブルを用いて情報入力画面を生成する。図３は、本発明の一実施形態で情報入力画面の生成に用いられるテーブルの一例を示す図である。図３に例示するテーブルは、機器タグＩＤ、シフト（作業者Ｗのシフト）、及び画面ＩＤが対応付けられたテーブルである。画面ＩＤは、モバイル端末１１のタッチパネル３５に表示される情報入力画面の各々に予め設定されたＩＤである。
【００４０】
図３に示されているテーブルを用いた場合には、アプリケーションサーバ１３から送信されてくる画面生成データに、機器タグＩＤ及びシフトが含まれていれば、タッチパネル３５に表示される情報入力画面が特定されることになる。尚、図３に示されているテーブルに、作業者Ｗの権限情報が追加されている場合には、アプリケーションサーバ１３から送信されてくる画面生成データに、機器タグＩＤ、シフト、及び作業者Ｗの権限情報が含まれていれば、タッチパネル３５に表示される情報入力画面が特定されることになる。
【００４１】
以上の情報処理部３８に設けられる各ブロック（識別部３８ａ、入出力処理部３８ｂ、及び画面生成部３８ｃ）は、各々の機能を実現するためのプログラムが、図示のＭＰＵ（Micro-Processing Unit：マイクロプロセッサ）によって実行されることによって実現される。つまり、情報処理部３８に設けられる各ブロックは、ソフトウェアとハードウェア資源とが協働することによって実現される。
【００４２】
ここで、上記の機能を実現するプログラムは、例えばＣＤ−ＲＯＭ又はＤＶＤ（登録商標）−ＲＯＭ等のコンピュータ読み取り可能な記録媒体に記録された状態で配布され、或いはインターネット等の外部のネットワークを介して配布される。モバイル端末１１の情報処理部３８に設けられる上記の各種機能は、記録媒体に記録されたプログラムを読み出してインストールすることにより、或いは外部ネットワークを介してダウンロードされたプログラムをインストールすることによりソフトウェア的に実現される。
【００４３】
ここで、モバイル端末１１のタッチパネル３５に表示される情報入力画面の画面例について説明する。図４は、本発明の一実施形態における情報入力画面の画面例を示す図である。図４（ａ）に示す画面は、カウンタ入力画面であり、図４（ｂ）に示す画面は、単位付き数値入力画面であり、図４（ｃ）に示す画面は、操作時刻入力画面であり、図４（ｄ）に示す画面は、状態入力画面であり、図４（ｅ）に示す画面は、写真付き自由記述入力画面である。
【００４４】
図４（ａ）のカウンタ入力画面は、流量の積算値等、稼働してからの累積値（カウンタ値）を測定値として入力するための画面である。図４（ａ）に示す通り、カウンタ入力画面には、タグＩＤ（機器タグＩＤ）が表示される表示欄Ｒ１、シフト名が表示される表示欄Ｒ２、測定データの履歴が表示される表示欄Ｒ３、ノート（メモ）の入力が可能な入力欄Ｒ４、及びカウンタ値の入力が可能な入力欄Ｒ１１が設けられている。また、カウンタ入力画面には、入力欄Ｒ１１に入力された値の記録を指示する記録ボタンＢ１が設けられている。
【００４５】
図４（ｂ）の単位付き数値入力画面は、温度や圧力等の測定データに応じた単位と有効桁数を提示し、測定値を入力するための画面である。尚、この単位付き数値入力画面には、閾値による制限や危険域等の情報も適宜提示される。この単位付き数値入力画面には、測定値の入力が可能な入力欄Ｒ１２が設けられている。図４（ｃ）の操作時刻入力画面は、非接続機器Ｄ２機器が最後に操作された時刻を入力するための画面である。この操作時刻入力画面には、操作時刻の入力が可能な入力欄Ｒ１３が設けられている。
【００４６】
図４（ｄ）の状態入力画面は、バルブの開閉やスイッチ等、非接続機器Ｄ２の状態を入力するための画面である。この状態入力画面には、非接続機器Ｄ２の状態を選択して入力可能な入力欄Ｒ１４が設けられている。図４（ｅ）の写真付き自由記述入力画面は、図４（ａ）〜図４（ｄ）に例示する情報入力画面では、記録しきれない非接続機器Ｄ２情報を入力するための画面である。この写真付き自由記述入力画面には、写真（画像データ）の入力が可能な入力欄Ｒ１５が設けられている。
【００４７】
ここで、図４（ｅ）の写真付き自由記述入力画面において、写真を活用する具体例としては、色味を測定する例が挙げられる。例えば、「薄い黄色」と定性的に表現された情報のみでは、色味が第三者に正しく伝わらない場合がある。このような場合に、写真が添付されていると、測定された色味を第三者に正しく伝えることができる。尚、図４（ｂ）〜図４（ｅ）に例示する情報入力画面には、図４（ａ）のカウンタ入力画面と同様に、表示欄Ｒ１〜Ｒ３、入力欄Ｒ４、及び記録ボタンＢ１が設けられている。また、これら図４（ａ）〜図４（ｅ）に例示する情報入力画面には、予め互いに異なる画面ＩＤが付されている。
【００４８】
〔情報収集サーバ装置〕
図５は、本発明の一実施形態による情報収集サーバ装置としてのアプリケーションサーバの要部構成を示すブロック図である。図５に示す通り、アプリケーションサーバ１３は、通信部４１、情報処理部４２、及びデータベース４３を備える。通信部４１は、図１に示すイントラネットＮ２に接続されており、モバイル端末１１、生産管理クライアント１４、及び生産システム２０等との間で通信を行う。
【００４９】
情報処理部４２は、接続機器データ収集部５１（第２収集部）、非接続機器データ収集部５２（第１収集部）、アプリケーション制御部５３、モバイル端末アプリケーション５４、生産管理アプリケーション５５、及びコンテキスト管理部５６を備える。このような情報処理部４２は、接続機器Ｄ１及び非接続機器Ｄ２に関する情報の収集を行ってデータベース４３で管理するとともに、モバイル端末１１及び生産管理クライアント１４からの要求に応じた処理を行い、この処理によって得られたデータをモバイル端末１１及び生産管理クライアント１４にそれぞれ提供する。
【００５０】
接続機器データ収集部５１は、定期又は不定期に、接続機器Ｄ１に関する情報を生産システム２０から収集する。例えば、接続機器データ収集部５１は、生産システム２０の一種であるＤＣＳ２１の中核をなす制御装置（図示省略）とＯＰＣ（OLE for Process Control）等の標準規格で規定される通信を行って、接続機器Ｄ１に関する情報を収集する。非接続機器データ収集部５２は、無線ネットワークＮ１及びイントラネットＮ２を介してモバイル端末１１から送信されてくる非接続機器Ｄ２に関するデータを収集する。例えば、非接続機器データ収集部５２は、Ｗｅｂサービス等の一般的な技術、又は専用の通信プロトコルを用いてモバイル端末１１と通信を行う。
【００５１】
アプリケーション制御部５３は、モバイル端末１１又は生産管理クライアント１４との間のトランザクションを制御する。尚、アプリケーション制御部５３は、アプリケーションサーバ１３でＷｅｂサーバが用いられる場合には、Ｗｅｂサーバのプログラム及びその周辺プログラムが実行されることによって実現される。
【００５２】
モバイル端末アプリケーション５４は、入出力データ処理部５４ａ及び画面生成部５４ｂを備えており、モバイル端末１１からの要求を処理し、この処理によって得られたデータをモバイル端末１１に返送する。例えば、モバイル端末アプリケーション５４の入出力データ処理部５４ａは、ユーザ認証時には、モバイル端末１１からのログイン要求を受信した後、コンテキスト管理部５６から必要な情報を取得して認証結果を返送する。また、入出力データ処理部５４ａは、モバイル端末１１からの要求が、例えば非接続機器Ｄ２に関する情報の送信要求である場合には、データベース４３から必要なデータを取得して返送する。
【００５３】
モバイル端末アプリケーション５４の画面生成部５４ｂは、モバイル端末１１から送信されてきた識別結果（識別部３８ａの識別結果）に応じた情報入力画面をモバイル端末１１のタッチパネル３５に表示させる。このため、画面生成部５４ｂは、モバイル端末１１のタッチパネル３５に表示させる情報入力画面を生成するために必要な画面生成データをモバイル端末１１に送信する。
【００５４】
画面生成部５４ｂは、例えば機器タグＩＤ（モバイル端末１１の機器識別部ＤＳ１で得られた機器タグＩＤ）、最新の数件程度の測定データ、メモ、画像データ、画面ＩＤ等を画面生成データとして送信する。ここで、画面生成部５４ｂには、図３に示すテーブルと同様のテーブルが設けられている。画面生成部５４ｂは、Ｗｅｂアプリケーション（ＨＴＭＬ５）を用いている場合には、画面生成データを、ＨＴＭＬやＸＭＬ等の構造化されたデータで送信する。
【００５５】
生産管理アプリケーション５５は、入出力データ処理部５５ａ及び画面生成部５５ｂを備えており、生産管理クライアント１４からの要求を処理し、この処理によって得られたデータを生産管理クライアント１４に返送する。例えば、上述したモバイル端末アプリケーション５４と同様に、ユーザ認証要求、データ取得要求等の生産管理クライアント１４からの要求を処理し、この処理によって得られたデータを生産管理クライアント１４に返送する。尚、生産管理アプリケーション５５では、上述のモバイル端末アプリケーション５４と概ね同様の処理が行われるが、やりとりされるデータや画面の内容は異なる。
【００５６】
コンテキスト管理部５６は、業務情報管理部５６ａ及びユーザ情報管理部５６ｂを備えており、モバイル端末１１及び生産管理クライアント１４等のシステム利用者のユーザ認証や業務内容に関する情報の処理及び管理を行う。このような認証を行うことで、アクセスコントロール（ユーザの権限に応じて表示する画面や取得データの制御）や、コンテキストアウェアネス（作業者Ｗのシフトや業務内容に応じた表示画面の変更）を実現することができる。
【００５７】
尚、上記のアクセスコントロールやコンテキストアウェアネスを実現するためには、アクセス権や業務内容を規定する情報が必要になる。本実施形態では、このような情報は、予め規定されていて、アプリケーションサーバ１３のコンテキスト管理部５６で管理されているものとする。また、これらの情報に関するデータを蓄積して、機械学習を用いて変更を自動化する機能を搭載しても良い。
【００５８】
データベース４３は、接続機器データ収集部５１で収集された接続機器Ｄ１に関する情報と、非接続機器データ収集部５２で収集された非接続機器Ｄ２に関する情報とを統合して管理するデータベースである。このデータベース４３は、例えばリレーショナルデータベースによって実現される。データベース４３で管理される情報としては、例えば、機器タグＩＤ、測定時刻、測定データ、位置情報、メモ、画像データ、画面ＩＤ等が挙げられる。
【００５９】
以上の情報処理部４２に設けられる各ブロック（アプリケーション制御部５３、モバイル端末アプリケーション５４、生産管理アプリケーション５５、及びコンテキスト管理部５６）は、各々の機能を実現するためのプログラムが、図示のＭＰＵによって実行されることによって実現される。つまり、情報処理部４２に設けられる各ブロックは、ソフトウェアとハードウェア資源とが協働することによって実現される。
【００６０】
ここで、上記の機能を実現するプログラムは、例えばＣＤ−ＲＯＭ又はＤＶＤ（登録商標）−ＲＯＭ等のコンピュータ読み取り可能な記録媒体に記録された状態で配布され、或いはインターネット等の外部のネットワークを介して配布される。アプリケーションサーバ１３の情報処理部４２に設けられる上記の各種機能は、記録媒体に記録されたプログラムを読み出してインストールすることにより、或いは外部ネットワークを介してダウンロードされたプログラムをインストールすることによりソフトウェア的に実現される。
【００６１】
〔生産管理クライアント〕
図６は、本発明の一実施形態による情報収集システムで用いられる生産管理クライアントの要部構成を示すブロック図である。図６に示す通り、生産管理クライアント１４は、通信部６１、インターフェイス部６２、及びデータ処理部６３を備える。通信部６１は、図１に示すイントラネットＮ２に接続されており、アプリケーションサーバ１３との間で通信を行う。
【００６２】
インターフェイス部６２は、入力装置６２ａ及び表示装置６２ｂを備えており、管理者Ｍの指示を入力するとともに、管理者Ｍに対して各種情報を提供するユーザインターフェイスである。入力装置６２ａは、例えばキーボードやマウス等を備えており、表示装置６２ｂは、例えば液晶表示装置や有機ＥＬ表示装置等を備える。
【００６３】
データ処理部６３は、データ収集アプリケーション６３ａ及びデータ分析アプリケーション６３ｂを備えており、通信部６１から送信されてくる要求、或いはインターフェイス部６２の入力装置６２ａから入力される指示に応じた各種指示を行う。データ収集アプリケーション６３ａは、アプリケーションサーバ１３にアクセスして、生産管理業務に必要なデータを収集するソフトウェアである。データ分析アプリケーション６３ｂは、データ収集アプリケーション６３ａで収集されたデータを用いて分析業務を行うためのソフトウェアである。このデータ分析アプリケーション６３ｂは、一般的な市販の表計算ソフトウェア及び専用のソフトウェアの何れであっても良い。
【００６４】
以上のデータ処理部６３に設けられる各ブロック（データ収集アプリケーション６３ａ及びデータ分析アプリケーション６３ｂ）は、各々の機能を実現するためのプログラムが、図示のＭＰＵによって実行されることによって実現される。つまり、データ処理部６３に設けられる各ブロックは、ソフトウェアとハードウェア資源とが協働することによって実現される。
【００６５】
ここで、上記の機能を実現するプログラムは、例えばＣＤ−ＲＯＭ又はＤＶＤ（登録商標）−ＲＯＭ等のコンピュータ読み取り可能な記録媒体に記録された状態で配布され、或いはインターネット等の外部のネットワークを介して配布される。生産管理クライアント１４のデータ処理部６３に設けられる上記の各種機能は、記録媒体に記録されたプログラムを読み出してインストールすることにより、或いは外部ネットワークを介してダウンロードされたプログラムをインストールすることによりソフトウェア的に実現される。
【００６６】
ここで、生産管理クライアント１４の表示装置６２ｂに表示される生産管理データ取得画面の一例について説明する。図７は、本発明の一実施形態における生産管理データ取得画面の一例を示す図である。図７に例示する生産管理データ取得画面Ｗ１には、タグ名（機器タグ名）が一覧表示される表示欄Ｒ２１、及びタグ名が入力される入力欄Ｒ２２等が設けられている。
【００６７】
表示欄Ｒ２１は、アプリケーションサーバ１３からデータの取得が可能な接続機器Ｄ１及び非接続機器Ｄ２のタグ名が一覧表示される欄である。図７に示す通り、表示欄Ｒ２１に表示されるタグ名には、チェックボックスが対応付けられている。表示欄Ｒ２１に一覧表示されたタグ名のうち、対応付けられているチェックボックスにチェックが付されているタグ名が設定されている接続機器Ｄ１又は非接続機器Ｄ２のデータが、アプリケーションサーバ１３から生産管理クライアント１４に取得される。
【００６８】
表示欄Ｒ２１には、接続機器Ｄ１から得られた情報と非接続機器Ｄ２から得られた情報とが区別なく表示されるため、生産管理クライアント１４を操作する管理者Ｍは、同じ操作で接続機器Ｄ１から得られた情報と非接続機器Ｄ２から得られた情報とを取得することができる。入力欄Ｒ２２は、表示欄Ｒ２１に一覧表示されたタグ名から特定のタグ名を検索する際に、検索する必要のあるタグ名が入力される欄である。
【００６９】
〔情報収集方法〕
次に、上述した情報収集システム１の動作について説明する。以下では、まず情報収集システム１の全体的な動作（全体動作）の概要について説明し、次いで情報収集システム１で行われる非接続機器Ｄ２からデータを収集する動作（情報収集動作）の詳細について説明する。
【００７０】
〈全体動作〉
図８は、本発明の一実施形態による情報収集システムの全体動作の概要を示すフローチャートである。図８に示す通り、プラントでは、接続機器Ｄ１のデータを収集する動作が生産システム２０によって繰り返し行われている（ステップＳ１１）。尚、生産システム２０に収集されたデータは、生産システム２０に順次蓄積されている。このような動作が行われている間に、生産システム２０に蓄積されたデータを収集する動作がアプリケーションサーバ１３の接続機器データ収集部５１によって定期又は不定期に行われる（ステップＳ１２：第５ステップ）。
【００７１】
また、プラントでは、メンテナンス作業を行っている作業者Ｗによって、非接続機器Ｄ２の状態を示すデータをモバイル端末１１に入力する作業が行われる（ステップＳ１３：第３ステップ）。例えば、プラントに設けられたアナログ計器（非接続機器Ｄ２）の指示値を読み取り、読み取った指示値をモバイル端末１１に入力する作業が作業者Ｗによって行われる。尚、上記のメンテナンス作業は、作業者Ｗによって１日に数回行われる。
【００７２】
このような作業が行われると、モバイル端末１１に入力されたデータをアプリケーションサーバ１３に送信（アップロード）する動作が行われる（ステップＳ１４：第４ステップ）。アップロードされたデータは、アプリケーションサーバ１３の非接続機器データ収集部５２によって収集される。ステップＳ１４で収集されたデータは、ステップＳ１２で収集された接続機器Ｄ１のデータと統合されてアプリケーションサーバ１３のデータベース４３で管理される（第６ステップ）。
【００７３】
生産管理業務が行われる場合には、管理者Ｍによって生産管理クライアント１４が操作され、アプリケーションサーバ１３にアクセスして必要なデータを取得する動作が行われる（ステップＳ１５）。そして、管理者Ｍによって生産管理クライアント１４が操作され、ステップＳ１５で取得されたデータを用いて生産管理業務が実施される（ステップＳ１６）。尚、アプリケーションサーバ１３が生産システム２０に蓄積されたデータを収集する動作（ステップＳ１２）は、接続機器Ｄ１のデータとの統合が行われる前（上記の第６ステップの前）に行われれば良い。
【００７４】
〈情報収集動作〉
図９は、本発明の一実施形態による情報収集システムで行われる情報収集動作の詳細を示すフローチャートである。尚、図９に示すフローチャートは、図８中のステップＳ１３，Ｓ１４で行われる動作の詳細を示すものである。作業者Ｗが非接続機器Ｄ２のデータをモバイル端末１１に入力する場合（即ち、図８中のステップＳ１３の作業を行う場合）には、まず作業者Ｗがモバイル端末１１を操作して、モバイル端末１１のログイン画面から情報収集システム１にログインする処理が行われる（ステップＳ２１）。
【００７５】
モバイル端末１１のログイン画面には、例えばユーザ名及びパスワードに加えてシフト名の入力欄が設けられており、作業者Ｗが自身のユーザ名、パスワード、及びシフト名を入力欄に入力することで、情報収集システム１にログインする処理が行われる。ここで、ログイン認証は、モバイル端末１１からアプリケーションサーバ１３にアクセスして行われる。但し、モバイル端末１１に作業者Ｗの認証情報が格納されている場合には、モバイル端末１１でログイン認証を行うようにしても良い。
【００７６】
情報収集システム１へのログインが完了すると、作業者Ｗがモバイル端末１１を操作して、非接続機器Ｄ２を特定する処理が行われる（ステップＳ２２：第１ステップ）。例えば、非接続機器Ｄ２に対してＮＦＣタグが近接配置されている場合には、モバイル端末１１のＮＦＣリーダライタ３４をＮＦＣタグに接近させて、ＮＦＣタグに書き込まれている機器タグＩＤ（特定情報）を取得する処理が行われる。また、例えば非接続機器Ｄ２に二次元コードが付されている場合には、モバイル端末１１のカメラ３３で二次元コードを読み取る処理が行われる。
【００７７】
非接続機器Ｄ２の機器タグＩＤが取得されると、モバイル端末１１からアプリケーションサーバ１３に対して画面生成データの送信要求がなされる（ステップＳ２３）。具体的には、モバイル端末１１からアプリケーションサーバ１３に対して、ステップＳ２２で取得された機器タグＩＤが送信され、この機器タグＩＤに応じた情報入力画面をタッチパネル３５に表示させるために必要な画面生成データの送信要求がなされる。
【００７８】
モバイル端末１１からの送信要求を受信すると、モバイル端末１１のタッチパネル３５に表示させる情報入力画面を特定する処理がアプリケーションサーバ１３の画面生成部５４ｂで行われる。具体的には、例えば図３に示すテーブルを用い、モバイル端末１１から送信されてきた機器タグＩＤ、及び機器タグＩＤに先だって送信されてきたシフト名に応じた画面ＩＤを特定する処理が行われる。そして、特定した情報入力画面を生成するために必要な画面生成データをモバイル端末１１に送信する処理が画面生成部５４ｂで行われる（ステップＳ２４）。
【００７９】
アプリケーションサーバ１３から送信されてきた画面生成データがモバイル端末１１の無線通信部３６で受信されると、その画面生成データを用いて情報入力画面を生成し、生成した情報入力画面をタッチパネル３５に表示させる処理が、モバイル端末１１の画面生成部３８ｃで行われる（ステップＳ２５：第２ステップ）。これにより、例えば図４（ａ）〜（ｅ）に示す情報入力画面の何れか１つが、モバイル端末１１のタッチパネル３５に表示される。
【００８０】
情報入力画面が表示されると、非接続機器Ｄ２の状態を示すデータをモバイル端末１１に入力する作業が作業者Ｗによって行われる（ステップＳ２６：第３ステップ）。例えば、プラントに設けられたアナログ計器（非接続機器Ｄ２）の指示値を読み取り、読み取った指示値をモバイル端末１１に入力する作業が作業者Ｗによって行われる。
【００８１】
このような作業が行われると、モバイル端末１１に入力されたデータをアプリケーションサーバ１３に送信（アップロード）する動作が行われる（ステップＳ２７：第４ステップ）。尚、電波状態の悪化等によって、モバイル端末１１がアプリケーションサーバ１３にアクセスできない場合には、モバイル端末１１に入力されたデータをアプリケーションサーバ１３にアップロードすることができない。このような場合には、例えば作業者Ｗが移動等を行って、モバイル端末１１がアプリケーションサーバ１３にアクセスできる状況になってから、モバイル端末１１に入力されたデータがアプリケーションサーバ１３にアップロードされる。
【００８２】
尚、アップロードされたデータは、アプリケーションサーバ１３の非接続機器データ収集部５２によって収集される。非接続機器データ収集部５２によって収集されたデータは、接続機器データ収集部５１によって収集されたデータと統合されてアプリケーションサーバ１３のデータベース４３で管理される（第６ステップ）。
【００８３】
以上の通り、本実施形態では、モバイル端末１１に設けられた測位部３１、姿勢検出部３２、カメラ３３、及びＮＦＣリーダライタ３４の少なくとも１つを用いて非接続機器Ｄ２の機器タグＩＤを取得し、取得した機器タグＩＤに応じた情報入力画面をモバイル端末１１のタッチパネル３５に表示し、情報入力画面への入力情報を無線ネットワークＮ１に送信するようにしている。そして、無線ネットワークＮ１を介してモバイル端末１１から送信されてくる入力情報を、アプリケーションサーバ１３が収集するようにしている。これにより、不要なコストの発生や人為的過誤の誘発を防止しつつ、プラントに設けられた非接続機器Ｄ２の情報を収集することが可能である。
【００８４】
具体的には、以下に示す作用効果が得られる。
（１）生産管理業務や現場でのデータ収集作業の効率向上
紙媒体への測定データの記録、コンピュータへの入力、不明点の口頭確認等、作業者Ｗ及び管理者Ｍにとって２度手間、３度手間となる非効率な作業を削減でき、作業時間の短縮が期待できる。
【００８５】
（２）作業者のデータ記録ミスの防止
図４（ａ）〜図４（ｅ）に示す通り、モバイル端末１１のタッチパネル３５に表示される情報入力画面には、測定データの履歴が表示される表示欄Ｒ３が設けられている。このため、作業者Ｗが、過去の入力履歴を現場で確認することができるため、入力ミスを防止することができる。また、入力されるデータの上下限の自動チェック機能を設ければ、入力ミスをより防止することができる。
【００８６】
（３）データ管理の容易化
生産や品質に関わるデータを、接続機器Ｄ１のデータに加えて、非接続機器Ｄ２のデータまで含めてデータベース４３で管理するようにしているため、月跨ぎや年間の生産、品質データの分析を容易に行うことができるようになった。
【００８７】
以上、本発明の一実施形態による情報収集システム、情報収集端末装置、情報収集サーバ装置、及び情報収集方法について説明したが、本発明は上述した実施形態に制限されることなく、本発明の範囲内で自由に変更が可能である。
【００８８】
例えば、上述した実施形態では、モバイル端末１１が、アプリケーションサーバ１３からの画面生成データを用いて情報入力画面（非接続機器Ｄ２のデータを収集するために必要となる画面）を生成してタッチパネル３５に表示するようにしていた。しかしながら、アプリケーションサーバ１３からの画面生成データを用いることなく、モバイル端末１１が単独で情報入力画面を生成してタッチパネル３５に表示するようにして良い。モバイル端末１１が単独で情報入力画面を表示する場合には、識別部３８ａの識別結果を用いて画面生成部３８ｃが情報入力画面を生成してタッチパネル３５に表示するようにすれば良い。尚、このような場合には、識別部３８ａの識別結果をアプリケーションサーバ１３に送信する必要は無い。
【００８９】
また、上述した実施形態では、測位部３１、姿勢検出部３２、カメラ３３、及びＮＦＣリーダライタ３４がモバイル端末１１に設けられている例について説明した。しかしながら、これらの全てがモバイル端末１１に設けられている必要は必ずしも無く、これらのうちの少なくとも１つがモバイル端末１１に設けられていれば良い。また、これら測位部３１、姿勢検出部３２、カメラ３３、及びＮＦＣリーダライタ３４は、内蔵されているものであっても、外付けのものであっても良い。
【００９０】
また、上述した実施形態では、プラントの生産システム２０に接続されていない非接続機器Ｄ２に関する情報を収集する例について説明したが、本発明は、生産システム２０が構築されているプラント（例えば、石油精製プラントや化学プラント）以外のプラント、工場、施設等においても適用することができる。例えば、電力プラント、工場現場、洋上プラットフォーム等の極限環境での生産現場、風車や太陽光発電等の設置現場、ビル等の建物、道路や鉄道線路等の広域インフラでも適用することができる。つまり、本発明は、データの収集がシステム化されたものと人手に頼っているものが併存しているケースで、遍く応用が可能である。
【符号の説明】
【００９１】
１        情報収集システム
１１      モバイル端末
１３      アプリケーションサーバ
１４      生産管理クライアント
２０      生産システム
３１      測位部
３２      姿勢検出部
３３      カメラ
３４      ＮＦＣリーダライタ
３５      タッチパネル
３６      無線通信部
３８ｃ    画面生成部
４３      データベース
５１      接続機器データ収集部
５２      非接続機器データ収集部
５４ｂ    画面生成部
Ｄ１      接続機器
Ｄ２      非接続機器
ＤＳ１    機器識別部
Ｎ１      無線ネットワーク
【図１】
2018081713.tif 000003
【図２】
2018081713.tif 000004
【図３】
2018081713.tif 000005
【図４】
2018081713.tif 000006
【図５】
2018081713.tif 000007
【図６】
2018081713.tif 000008
【図７】
2018081713.tif 000009
【図８】
2018081713.tif 000010
【図９】
2018081713.tif 000011